(57)【特許請求の範囲】
【請求項１】
カード形ＣＤの外側に外径１２０ｍｍのリングが配され、これらカード形ＣＤとリングとがランナー及びゲートで接続されていることを特徴とする光情報記録媒体。
【請求項２】
前記ゲートはカード形ＣＤに近接して設けられていることを特徴とする請求項１記載の光情報記録媒体。
【請求項３】
前記カード形ＣＤは、そのドライブ孔の外周に環状のデジタル情報記録部が設けられていることを特徴とする請求項１又は２記載の光情報記録媒体。
【請求項４】
前記カード形ＣＤは、その信号読みとり面と反対側の面に磁気記録部を有することを特徴とする請求項１〜３のいずれかに記載の光情報記録媒体。
【請求項５】
前記カード形ＣＤは、そのドライブ孔の中心から４０ｍｍ離れた端部に位置する点と、同様にそのドライブ孔の中心から40ｍｍ離れて端部に位置しかつ該点に近隣する他の点とを結ぶ直線を境にして、対向する２か所に段差が設けられていることを特徴とする請求項１〜４のいずれかに記載の光情報記録媒体。
【請求項６】
前記リングの少なくとも３ヶ所に同じ高さの突起部が設けられていることを特徴とする請求項１〜５のいずれかに記載の光情報記録媒体。
【請求項７】
前記カード形ＣＤをゲートから切り離して携帯又は使用できるようにしたことを特徴とする請求項１〜６のいずれかに記載の光情報記録媒体。
【発明の詳細な説明】
【０００１】
【発明の属する技術分野】
本発明はカード形ＣＤとその外側に切り離し可能なリングを連結させてなり、現行の直径１２０ｍｍのＣＤの生産設備においても製造が容易に行なえる光情報記録媒体に関する。
【０００２】
【従来の技術】
文字・図形、音、映像などをデジタル情報として記録しておく媒体の一つとしてＣＤ（コンパクト・ディスク）が用いられている。このＣＤは円盤形のプレート表面に、中心から所定半径離れたところに環状の記録領域（デジタル情報記録部）が設けられたものである。記録の再生は、前記のＣＤを回転させた状態でその記録領域にレーザ光などを照射し、これの反射光を光学式に読み取って行う。
【０００３】
ＣＤは主に二種類の大きさに規格化されており、大きい方のＣＤは半径が６０ｍｍ（直径で１２０ｍｍ）であり、小さいのＣＤは半径が４０ｍｍ（直径で８０ｍｍ）である。このため、これらＣＤをセットするコンピューターやプレイヤーのドライブテーブルには、大小いずれの大きさのＣＤがセットできるように、二つの円形の凹部が同心円状に形成されている。
【０００４】
ところで、近時は少量の情報を磁気記録方式などで入力しておき、その情報を簡単に読み取りできるようにしたカード形情報記録媒体が採用されるようになってきている。このカード形情報記録媒体はその大きさがほぼ名刺判大に統一されており、財布や定期券入れなどへの収納が容易で持ち運びしやすいものである。
【０００５】
こうした磁気記録方式を採用したカード形情報記録媒体に誘発されて、ＣＤをカード形にしたものが提案されている（実用新案登録第３０１２９０１号、実用新案登録第３０６４４１４号など）。これらのカード形ＣＤは中心にドライブ孔を有し、その外周に光学式再生を可能とした環状のデジタル情報記録部を備え、かつ外形を名刺形状に構成したものであり、さらに、ドライブ孔の中心から４０ｍｍ離れたところに、ドライブテーブルの小さいＣＤを入れる窪みの内縁にあわせる円弧状の突起やガイド段差を設けたものである。
【０００６】
【発明が解決しようとする課題】
しかし、従来のこうしたカード形ＣＤの製造においては、成形工程の初めから最終形状のカード形基板を成形しているため、現状の直径１２０ｍｍのＣＤの生産ラインを改造せずに利用することは困難である。従って、本発明の目的は、現状の直径１２０ｍｍのＣＤの生産ラインを改造することなく直径８０ｍｍのＣＤを有するカード形ＣＤが製造できるようにした光情報記録媒体を提供することである。
【０００７】
【課題を解決するための手段】
本発明によれば、カード形ＣＤの外側に外径１２０ｍｍのリングが配され、これらカード形ＣＤとリングとがランナー及びゲートで接続されていることを特徴とする光情報記録媒体が提供される。ここで、ゲートはカード形ＣＤに近接して設けられているのが好ましい。
【０００８】
上記光情報記録媒体においては、カード形ＣＤは（１）そのドライブ孔の外周に環状のデジタル情報記録部が設けられ、（２）信号読み取り面と反対側の面（印刷面）に磁気記録部を有し、及び／又は（３）ドライブ孔の中心から各々４０ｍｍ離れた端部の２点を結ぶ直線を境にして段差が設けることが望ましい。
【０００９】
また、上記本発明の光情報記録媒体においては、前記リングは少なくとも３ヶ所に同じ高さの突起部を設ける（この突起部は前記カード形ＣＤの信号読み取り面側に設けられる）のが好ましい。
【００１０】
これらの光情報記録媒体は、携帯又は使用時には、カード形ＣＤがゲートから切り離なされる。
【００１１】
このような構造からなる本発明の光情報記録媒体は、基板形状をカード部（カード形ＣＤ：ＣＤ自体の大きさは直径４０ｍｍ又はそれ以下）と直径１２ｃｍのリング部とに分け、これらをランナー及びゲートで連結し一体化することで、１２ｃｍのＣＤを生産する設備で容易に製造することができ、またカード形ＣＤ部の大きさや形状も前記リング部内に収まる大きさや形状であれば自由に選択できるものである。さらに、リングに突起部を設けたことにより、多数枚を積み重ねた場合、カード形ＣＤ間に隙間が形成されてこれらがこすられることがないため、運搬が無理なく行なえる。
【００１２】
【発明の実施の形態】
以下本発明をさらに詳細に説明する。
図１は本発明の光情報記録媒体を印刷面側からみた平面図、図２はこれを読み取り面側からみた平面図である。前記のとおり、カード形ＣＤ（カード部）１は外径１２０ｍｍのリング（リング部）２に収まる大きさであれば、長方形に限らず任意の形状が採りうる。そして、これらカード部１とリング２とはランナー３およびゲート４で連結されている。
【００１３】
カード部１は、プレート１１にドライブ孔１２が形成され、その外周に環状のデジタル情報記録部（記録領域）１３が設けられる。図３に示したように、プレート１１はその端部における、ドライブ孔１２の中心から各々４０ｍｍ離れて端部に位置するところを点Ａ、Ｂ、Ｃ、Ｄとしたとき、互いに近隣する点Ａと点Ｂとを結ぶ直線を境にして、及び、互いに近隣する点Ｃと点Ｄとを結ぶ直線を境にして、それぞれ対向して段差が１４が設けられている。このガイド段差１４は印刷面側がフラットであり、読み取り面側が内方に比べて外方が薄くなるようにして形成されている。なお、図４はこのカード部１を側面からみた図である。この段差１４は読み取り両側のプレート１１に設けられるのがよく、これによってリング１２から切り離されたカード形ＣＤは上記の点Ａ、Ｂ、Ｃ及びＤのところでコンピューター等のドライブテーブルの小さいＣＤを入れる窪みの内縁に合わせられてセットできるようになる。
【００１４】
リング部２は外径が１２ｃｍのものであり、そして、このリング部２にはカード部１の印刷面側、信号読み取り面側のいずれか一方の側、好ましくは読み取り面側に少なくとも３つ以上の突起部２１が設けられているのが望ましい。突起部２１が３つの場合は、隣り合う突起部２１は互いにできるだけ等距離に設けられるのがよい。図１および図２に示した光情報記録媒体ではランナー３が４ヶ所にあり、このものでは突起部２１がランナー３に近い位置で４ヶ所に設けられるのがよく、成形する上からも有利である。図５は突起部２１がリング２上に設けられていることを表わしている。この突起部２１を設けることによって、本発明の光情報記録媒体を重ね合わせても、これらのカード部１間には隙間ができるため、ＣＤの記録面が保護される。
【００１５】
本発明の光情報記録媒体を構成するカード部１は、信号読み取り面の反対側の印刷面に例えばキャッシュカードなどで利用されている磁気記録層を印刷手段等により形成してもよい。これにより、情報量のさらなる記録が可能となり、また、カード形ＣＤを磁気カードとして併用することが可能となる。
【００１６】
本発明の光情報記録媒体の製造は、例えば射出成形装置を用い、溶融樹脂をカード部１の中心から放出し、ゲート４を通過しランナー３を経てリング部２へと流し図１および図２に示した形状に成形し、これにスパッタリング法などによってカード部に螺旋状の記録領域１３を形成することにより行なわれる。本発明の光情報記録媒体全体の形状は直径１２０ｍｍ、板厚１．２ｍｍでセンターに直径１５ｍｍのドライブ孔をもつ通常の直径１２０ｍｍのＣＤと同じ大きさになっているため、現在直径１２０ｍｍのＣＤを生産している設備を改造することなく使用できる。カード形ＣＤの携帯又は使用時には、ゲート４からランナー３及びリング部２を取りのぞくだけで済むため、面倒な切り離し操作は不要である。
【００１７】
【発明の効果】
請求項１、２および３の発明によれば、光情報記録媒体はカード形ＣＤの外側にランナーを介して直径１２０ｍｍのリングを配しているので、現行の直径１２０ｍｍのＣＤ生産設備を改造することなく小型のカード形ＣＤを製造することができる。
【００１８】
請求項４の発明によれば、カード形ＣＤの印刷面に磁気記録部を設けているので、より多くの情報を加えることができる。
【００１９】
請求項５の発明によれば、カード形ＣＤはドライブ孔の中心から４０ｍｍ離れたところの端部を直線で結び、その位置から外方に対向して２つの段差が設けられているので、市販のドライブ等のドライブテーブルに設けられている直径８０ｍの窪みを利用しセットすることができる。
【００２０】
請求項６の発明によれば、リングに複数の突起部を設けたことで、図１及び図２で示される光情報記録媒体を積み重ねても不都合の生じることはない。
【００２１】
請求項７の発明によれば、カード形ＣＤをゲートから切り離すことによって、携帯が容易となり、又は信号読み出しが行なえる。
【図面の簡単な説明】
【図１】本発明の光情報記録媒体を印刷面側からみた平面図である。
【図２】本発明の光情報記録媒体を記録面側からみた平面図である。
【図３】本発明におけるカード形ＣＤの段差について説明するための図である。
【図４】図３に示したカード形ＣＤの側面図である。
【図５】リングに突起部が設けられていることを示す図である。
【符号の説明】
１    カード部（カード形ＣＤ）
２    リング部（リング）
３    ランナー
４    ゲート
１１  プレート
１２  ドライブ孔
１３  デジタル情報記録部（記録領域）
１４  ガイド段差
２１  突起部
【図１】
0003844955.tif 000002
【図２】
0003844955.tif 000003
【図３】
0003844955.tif 000004
【図４】
0003844955.tif 000005
【図５】
0003844955.tif 000006